(57)【要約】 【課題】高画質な画像を記録することができる記録ヘッド、記録装置、及び、記録システムを実現することにある。【解決手段】画像を媒体に記録するための記録ヘッドであって、画像を記録するために前記媒体に転写される記録剤、を担持するための記録剤担持部と、前記画像の画像情報に基づいて、前記記録剤担持部に前記記録剤を担持させるためのアクティブ素子と、を有することを特徴とする。【選択図】        図３
2006035704.tif 000002
【特許請求の範囲】
【請求項１】
画像を媒体に記録するための記録ヘッドであって、
画像を記録するために前記媒体に転写される記録剤、を担持するための記録剤担持部と、
前記画像の画像情報に基づいて、前記記録剤担持部に前記記録剤を担持させるためのアクティブ素子と、
を有することを特徴とする記録ヘッド。
【請求項２】
請求項１に記載の記録ヘッドにおいて、
前記アクティブ素子は、薄膜トランジスタであることを特徴とする記録ヘッド。
【請求項３】
請求項１又は請求項２に記載の記録ヘッドにおいて、
前記記録剤担持部及び前記アクティブ素子を複数組有しており、
複数組の、前記記録剤担持部及び前記アクティブ素子、の各々は、前記画像の画素に対応していることを特徴とする記録ヘッド。
【請求項４】
請求項１乃至請求項３のいずれかに記載の記録ヘッドにおいて、
前記記録剤は、所定の極性に帯電しており、
前記アクティブ素子は、前記画像の画像情報に基づいて、前記所定の極性とは逆の極性に前記記録剤担持部を帯電させて、該記録剤担持部に前記記録剤を担持させることを特徴とする記録ヘッド。
【請求項５】
請求項４に記載の記録ヘッドにおいて、
前記アクティブ素子は、前記媒体に前記記録剤を転写させる際に、前記記録剤担持部を前記所定の極性に帯電させて、前記記録剤担持部に担持されている前記記録剤を該記録剤担持部から引き離すことを特徴とする記録ヘッド。
【請求項６】
請求項５に記載の記録ヘッドにおいて、
該記録ヘッドは、前記記録剤担持部として、
前記画像の画像情報に基づいて前記記録剤を担持する第一記録剤担持部と、前記媒体に対向する第二記録剤担持部と、
前記第一記録剤担持部から前記第二記録剤担持部までの記録剤の移動経路となる第三記録剤担持部と、を有し、
前記アクティブ素子は、
前記画像の画像情報に基づいて、前記第一記録剤担持部に前記記録剤を担持させた後に、該記録剤を前記第一記録剤担持部から前記第三記録剤担持部を経由して前記第二記録剤担持部まで移動させ、前記第二記録剤担持部に移動した前記記録剤を該第二記録剤担持部から引き離すことを特徴とする記録ヘッド。
【請求項７】
請求項６に記載の記録ヘッドにおいて、
該記録ヘッドは、湾曲しており、
前記第一記録剤担持部から前記第二記録剤担持部へ向かう方向が、前記第一記録剤担持部から前記第三記録剤担持部へ向かう方向に沿わないことを特徴とする記録ヘッド。
【請求項８】
請求項５に記載の記録ヘッドにおいて、
前記記録剤担持部は移動可能であり、
前記アクティブ素子が、前記画像の画像情報に基づいて、前記記録剤担持部に前記記録剤を担持させた後に、前記記録剤を担持している前記記録剤担持部が前記媒体に対向する位置に移動し、
前記アクティブ素子が、前記位置に移動した前記記録剤担持部、に担持されている前記記録剤を該記録剤担持部から引き離すことを特徴とする記録ヘッド。
【請求項９】
請求項８に記載の記録ヘッドにおいて、
該記録ヘッドは、その表面に前記記録剤担持部を有する円柱形状の部材であり、
該記録ヘッドが回転することにより、前記記録剤を担持している前記記録剤担持部が前記位置に移動することを特徴とする記録ヘッド。
【請求項１０】
請求項７及び請求項９に記載の記録ヘッドにおいて、
前記アクティブ素子は、薄膜トランジスタであり、かつ、
該薄膜トランジスタは、有機トランジスタであることを特徴とする記録ヘッド。
【請求項１１】
請求項１乃至請求項９のいずれかに記載の記録ヘッドにおいて、
前記アクティブ素子は、薄膜トランジスタであり、かつ、
前記薄膜トランジスタは、低温多結晶シリコンからなることを特徴とする記録ヘッド。
【請求項１２】
画像を媒体に記録するための記録ヘッドであって、
画像を記録するために前記媒体に転写される記録剤、を担持するための記録剤担持部と、
前記画像の画像情報に基づいて、前記記録剤担持部に前記記録剤を担持させるためのアクティブ素子と、
を有し、
前記アクティブ素子は、薄膜トランジスタであり、
前記記録剤担持部及び前記アクティブ素子を複数組有しており、
複数組の、前記記録剤担持部及び前記アクティブ素子、の各々は、前記画像の画素に対応しており、
前記記録剤は、所定の極性に帯電しており、
前記アクティブ素子は、前記画像の画像情報に基づいて、前記所定の極性とは逆の極性に前記記録剤担持部を帯電させて、該記録剤担持部に前記記録剤を担持させ、
前記アクティブ素子は、前記媒体に前記記録剤を転写させる際に、前記記録剤担持部を前記所定の極性に帯電させて、前記記録剤担持部に担持されている前記記録剤を該記録剤担持部から引き離し、
前記記録ヘッドは、前記記録剤担持部として、
前記画像の画像情報に基づいて前記記録剤を担持する第一記録剤担持部と、前記媒体に対向する第二記録剤担持部と、
前記第一記録剤担持部から前記第二記録剤担持部までの記録剤の移動経路となる第三記録剤担持部と、を有し、
前記アクティブ素子は、
前記画像の画像情報に基づいて、前記第一記録剤担持部に前記記録剤を担持させた後に、該記録剤を前記第一記録剤担持部から前記第三記録剤担持部を経由して前記第二記録剤担持部まで移動させ、前記第二記録剤担持部に移動した前記記録剤を該第二記録剤担持部から引き離し、
前記薄膜トランジスタは、低温多結晶シリコンからなることを特徴とする記録ヘッド。
【請求項１３】
画像を媒体に記録するための記録ヘッドであって、画像を記録するために前記媒体に転写される記録剤、を担持するための記録剤担持部と、前記画像の画像情報に基づいて、前記記録剤担持部に前記記録剤を担持させるためのアクティブ素子と、を有する記録ヘッド、
を備えたことを特徴とする記録装置。
【請求項１４】
請求項１３に記載の記録装置において、
前記記録剤を所定の極性に帯電させるための帯電部材と、
前記媒体を介して前記記録ヘッドに対向する位置に設けられ、前記媒体に前記記録剤を転写させる際に、前記所定の極性とは逆の極性に帯電する逆帯電部と、を備え、
前記帯電部材は、前記記録剤を、前記所定の極性に帯電させ、
前記アクティブ素子は、前記画像の画像情報に基づいて、前記所定の極性とは逆の極性に前記記録剤担持部を帯電させて、該記録剤担持部に前記所定の極性に帯電している前記記録剤を担持させ、
前記媒体に前記記録剤を転写させる際に、前記アクティブ素子は、前記記録剤担持部を前記所定の極性に帯電させて、前記記録剤担持部に担持されている前記記録剤を該記録剤担持部から引き離し、かつ、前記逆帯電部は、前記所定の極性とは逆の極性に帯電して、前記記録剤を前記媒体の方向に向かわせることを特徴とする記録装置。
【請求項１５】
請求項１４に記載の記録装置において、
前記記録ヘッドは、前記記録剤担持部として、
前記画像の画像情報に基づいて前記記録剤を担持する第一記録剤担持部と、前記媒体に対向する第二記録剤担持部と、
前記第一記録剤担持部から前記第二記録剤担持部までの記録剤の移動経路となる第三記録剤担持部と、を有し、
前記アクティブ素子は、
前記画像の画像情報に基づいて、前記第一記録剤担持部に前記記録剤を担持させた後に、該記録剤を前記第一記録剤担持部から前記第三記録剤担持部を経由して前記第二記録剤担持部まで移動させ、前記第二記録剤担持部に移動した前記記録剤を該第二記録剤担持部から引き離し、
前記媒体は、記録用紙であり、
該記録用紙を供給するための供給部を有し、
前記記録ヘッドの表面長さは、前記供給部によって供給可能な前記記録用紙、の最小長さよりも、短いことを特徴とする記録装置。
【請求項１６】
コンピュータ、及び、
このコンピュータに接続可能な記録装置であって、画像を媒体に記録するための記録ヘッドであって、画像を記録するために前記媒体に転写される記録剤、を担持するための記録剤担持部と、前記画像の画像情報に基づいて、前記記録剤担持部に前記記録剤を担持させるためのアクティブ素子と、を有する記録ヘッド、を備えた記録装置、
を有する記録システム。
【発明の詳細な説明】
【技術分野】
【０００１】
本発明は、記録ヘッド、記録装置、及び、記録システムに関する。
【背景技術】
【０００２】
プリンタ等の記録装置として、画像の画像情報に基づいた、薄膜トランジスタ（ＴＦＴ）等のアクティブ素子の制御、により、トナー等の記録剤を記録用紙等の媒体に転写して、媒体に画像を記録する装置が、知られている。
【０００３】
このような記録装置の一例としては、記録剤供給（収容）装置を、アパチャ電極体を介して媒体に対向させ、記録剤供給（収容）装置内の記録剤の、アパチャ電極体中の通過、非通過、を、画像の画像情報に基づいてアクティブ素子により制御し、記録剤を当該画像情報に応じて媒体に転写して、媒体に画像を記録する装置が挙げられる（特許文献１参照）。
【０００４】
また、他の例としては、記録剤供給（収容）装置を、媒体を介して電極に対向させ、当該電極の電位を、画像の画像情報に基づいてアクティブ素子により制御し、記録剤供給（収容）装置内の帯電した記録剤を当該画像情報に応じて媒体に転写して、媒体に画像を記録する装置が挙げられる（特許文献２参照）。
【特許文献１】特開平１１−７８１０４号公報
【特許文献２】特開平７−１５２２３２号公報
【発明の開示】
【発明が解決しようとする課題】
【０００５】
ところで、上述した二つの例に係る記録装置においては、次のような課題がある。特許文献１に示したアパチャ（開口部）による方式では、高解像化を図るとアパチャの狭小化により、目詰まりを起しやすくなる。したがって、高速高解像でありながら信頼性の高い製品を実現することは困難であった。また、特許文献２に示した方式では、記録剤供給（収容）装置自体が媒体に対向するため、前述した制御に反して、記録剤供給（収容）装置内の記録剤が媒体に付着してしまう蓋然性が高い。そして、かかる事象が生じた場合には、前記画像情報に応じた画像が媒体に記録されず、その画質に劣化が生ずることとなる。また、媒体を介して電界を与えるため、記録剤を制御する電圧の大部分が媒体に加わるので、非常に高い電圧（数百Ｖ）をＴＦＴに印加することが必要とされ、現実的なプロセス及びサイズのＴＦＴ素子では実現不可能であった。
【０００６】
本発明は、かかる課題に鑑みてなされたものであり、その目的とするところは、高画質な画像を記録することができる記録ヘッド、記録装置、及び、記録システムを実現することにある。
【課題を解決するための手段】
【０００７】
主たる本発明は、画像を媒体に記録するための記録ヘッドであって、画像を記録するために前記媒体に転写される記録剤、を担持するための記録剤担持部と、前記画像の画像情報に基づいて、前記記録剤担持部に前記記録剤を担持させるためのアクティブ素子と、を有することを特徴とする記録ヘッドである。
【０００８】
本発明の他の特徴については、本明細書及び添付図面の記載により明らかにする。
【発明を実施するための最良の形態】
【０００９】
本明細書及び添付図面の記載により、少なくとも次のことが明らかにされる。
【００１０】
画像を媒体に記録するための記録ヘッドであって、画像を記録するために前記媒体に転写される記録剤、を担持するための記録剤担持部と、前記画像の画像情報に基づいて、前記記録剤担持部に前記記録剤を担持させるためのアクティブ素子と、を有することを特徴とする記録ヘッド。  
かかる記録ヘッドによれば、高画質な画像を記録することが可能となる。
【００１１】
また、前記アクティブ素子は、薄膜トランジスタであることとしてもよい。  
かかる場合には、記録剤担持部に記録剤をすばやく担持させることが可能となる。
【００１２】
また、前記記録剤担持部及び前記アクティブ素子を複数組有しており、複数組の、前記記録剤担持部及び前記アクティブ素子、の各々は、前記画像の画素に対応していることとしてもよい。
【００１３】
また、前記記録剤は、所定の極性に帯電しており、前記アクティブ素子は、前記画像の画像情報に基づいて、前記所定の極性とは逆の極性に前記記録剤担持部を帯電させて、該記録剤担持部に前記記録剤を担持させることとしてもよい。
【００１４】
また、前記アクティブ素子は、前記媒体に前記記録剤を転写させる際に、前記記録剤担持部を前記所定の極性に帯電させて、前記記録剤担持部に担持されている前記記録剤を該記録剤担持部から引き離すこととしてもよい。  
かかる場合には、記録剤をより適切に媒体に転写させることが可能となる。
【００１５】
また、前記記録ヘッドは、前記記録剤担持部として、前記画像の画像情報に基づいて前記記録剤を担持する第一記録剤担持部と、前記媒体に対向する第二記録剤担持部と、前記第一記録剤担持部から前記第二記録剤担持部までの記録剤の移動経路となる第三記録剤担持部と、を有し、前記アクティブ素子は、前記画像の画像情報に基づいて、前記第一記録剤担持部に前記記録剤を担持させた後に、該記録剤を前記第一記録剤担持部から前記第三記録剤担持部を経由して前記第二記録剤担持部まで移動させ、前記第二記録剤担持部に移動した前記記録剤を該第二記録剤担持部から引き離すこととしてもよい。  
かかる場合には、第一記録剤担持部に誤って担持されてしまった記録剤が、最終的に、第二記録剤担持部に担持されないようにするために、その移動を抑止する方策を採ることが可能となる。
【００１６】
また、前記記録ヘッドは、湾曲しており、前記第一記録剤担持部から前記第二記録剤担持部へ向かう方向が、前記第一記録剤担持部から前記第三記録剤担持部へ向かう方向に沿わないこととしてもよい。  
かかる場合には、第二記録剤担持部に担持された記録剤を、媒体に、より適切に転写させることが可能となる。
【００１７】
また、前記記録剤担持部は移動可能であり、前記アクティブ素子が、前記画像の画像情報に基づいて、前記記録剤担持部に前記記録剤を担持させた後に、前記記録剤を担持している前記記録剤担持部が前記媒体に対向する位置に移動し、前記アクティブ素子が、前記位置に移動した前記記録剤担持部、に担持されている前記記録剤を該記録剤担持部から引き離すこととしてもよい。  
かかる場合には、アクティブ素子により実行される制御が単純化される。
【００１８】
また、前記記録ヘッドは、その表面に前記記録剤担持部を有する円柱形状の部材であり、該記録ヘッドが回転することにより、前記記録剤を担持している前記記録剤担持部が前記位置に移動することとしてもよい。  
かかる場合には、前記効果を有する記録ヘッド、すなわち、アクティブ素子により実行される制御が単純化された記録ヘッド、が簡易な方法で実現される。
【００１９】
また、前記アクティブ素子は、薄膜トランジスタであり、かつ、該薄膜トランジスタは、有機トランジスタであることとしてもよい。  
かかる場合には、記録ヘッドを簡易に製造することが可能となる。
【００２０】
また、前記アクティブ素子は、薄膜トランジスタであり、かつ、前記薄膜トランジスタは、低温多結晶シリコンからなることとしてもよい。  
かかる場合には、高精細な薄膜トランジスタを有する記録ヘッドを簡易に製造することが可能となる。
【００２１】
また、画像を媒体に記録するための記録ヘッドであって、画像を記録するために前記媒体に転写される記録剤、を担持するための記録剤担持部と、前記画像の画像情報に基づいて、前記記録剤担持部に前記記録剤を担持させるためのアクティブ素子と、を有し、前記アクティブ素子は、薄膜トランジスタであり、前記記録剤担持部及び前記アクティブ素子を複数組有しており、複数組の、前記記録剤担持部及び前記アクティブ素子、の各々は、前記画像の画素に対応しており、前記記録剤は、所定の極性に帯電しており、前記アクティブ素子は、前記画像の画像情報に基づいて、前記所定の極性とは逆の極性に前記記録剤担持部を帯電させて、該記録剤担持部に前記記録剤を担持させ、前記アクティブ素子は、前記媒体に前記記録剤を転写させる際に、前記記録剤担持部を前記所定の極性に帯電させて、前記記録剤担持部に担持されている前記記録剤を該記録剤担持部から引き離し、前記記録ヘッドは、前記記録剤担持部として、前記画像の画像情報に基づいて前記記録剤を担持する第一記録剤担持部と、前記媒体に対向する第二記録剤担持部と、前記第一記録剤担持部から前記第二記録剤担持部までの記録剤の移動経路となる第三記録剤担持部と、を有し、前記アクティブ素子は、前記画像の画像情報に基づいて、前記第一記録剤担持部に前記記録剤を担持させた後に、該記録剤を前記第一記録剤担持部から前記第三記録剤担持部を経由して前記第二記録剤担持部まで移動させ、前記第二記録剤担持部に移動した前記記録剤を該第二記録剤担持部から引き離し、前記薄膜トランジスタは、低温多結晶シリコンからなることを特徴とする記録ヘッドも実現可能である。  
このようにすれば、既述の殆どの効果を奏するため、本発明の目的がより有効に達成される。
【００２２】
また、画像を媒体に記録するための記録ヘッドであって、画像を記録するために前記媒体に転写される記録剤、を担持するための記録剤担持部と、前記画像の画像情報に基づいて、前記記録剤担持部に前記記録剤を担持させるためのアクティブ素子と、を有する記録ヘッド、を備えたことを特徴とする記録装置も実現可能である。  
かかる記録装置によれば、高画質な画像を記録することが可能となる。
【００２３】
また、前記記録剤を所定の極性に帯電させるための帯電部材と、前記媒体を介して前記記録ヘッドに対向する位置に設けられ、前記媒体に前記記録剤を転写させる際に、前記所定の極性とは逆の極性に帯電する逆帯電部と、を備え、  前記帯電部材は、前記記録剤を、前記所定の極性に帯電させ、前記アクティブ素子は、前記画像の画像情報に基づいて、前記所定の極性とは逆の極性に前記記録剤担持部を帯電させて、該記録剤担持部に前記所定の極性に帯電している前記記録剤を担持させ、前記媒体に前記記録剤を転写させる際に、前記アクティブ素子は、前記記録剤担持部を前記所定の極性に帯電させて、前記記録剤担持部に担持されている前記記録剤を該記録剤担持部から引き離し、かつ、前記逆帯電部は、前記所定の極性とは逆の極性に帯電して、前記記録剤を前記媒体の方向に向かわせることとしてもよい。  
かかる場合には、記録剤をより適切に媒体に転写させることが可能となる。
【００２４】
また、前記記録ヘッドは、前記記録剤担持部として、前記画像の画像情報に基づいて前記記録剤を担持する第一記録剤担持部と、前記媒体に対向する第二記録剤担持部と、前記第一記録剤担持部から前記第二記録剤担持部までの記録剤の移動経路となる第三記録剤担持部と、を有し、前記アクティブ素子は、前記画像の画像情報に基づいて、前記第一記録剤担持部に前記記録剤を担持させた後に、該記録剤を前記第一記録剤担持部から前記第三記録剤担持部を経由して前記第二記録剤担持部まで移動させ、前記第二記録剤担持部に移動した前記記録剤を該第二記録剤担持部から引き離し、前記媒体は、記録用紙であり、該記録用紙を供給するための供給部を有し、前記記録ヘッドの表面長さは、前記供給部によって供給可能な前記記録用紙、の最小長さよりも、短いこととしてもよい。  
かかる場合には、記録ヘッドを小さくすることができるため、小型化された記録装置を実現することが可能となる。
【００２５】
また、コンピュータ、及び、このコンピュータに接続可能な記録装置であって、画像を媒体に記録するための記録ヘッドであって、画像を記録するために前記媒体に転写される記録剤、を担持するための記録剤担持部と、前記画像の画像情報に基づいて、前記記録剤担持部に前記記録剤を担持させるためのアクティブ素子と、を有する記録ヘッド、を備えた記録装置、を有する記録システムも実現可能である。  
かかる記録システムによれば、高画質な画像を記録することが可能となる。
【００２６】
＝＝＝記録装置の全体構成例＝＝＝
次に、図１を用いて、記録装置としてプリンタ１０を例にとって、その概要について説明する。図１は、プリンタ１０を構成する主要構成要素を示した図である。なお、図１には、矢印にて上下方向を示しており、例えば、給紙トレイ９４は、プリンタ１０の下部に配置されており、定着ユニット９０は、プリンタ１０の上部に配置されている。また、図１においては、記録ヘッド４０Ｙの下部から上部へ向かう方向（以下、記録ヘッド４０Ｙの縦方向とも呼ぶ）を、矢印ｙで示している。
【００２７】
本実施の形態に係るプリンタ１０は、図１に示すように、４つの記録ユニット１５Ｙ、１５Ｍ、１５Ｃ、１５Ｋ、定着ユニット９０、供給部の一例としての給紙ユニット９２、搬送ローラ９８を有し、さらに、不図示のユーザへの報知手段をなし液晶パネルでなる表示ユニット、及び、これらのユニット等を制御しプリンタとしての動作を司る制御ユニット１００（図２）を有している。
【００２８】
記録ユニット１５Ｙ、１５Ｍ、１５Ｃ、１５Ｋは、記録剤の一例としてのトナーＴを用いて、媒体の一例としての記録用紙Ｐに画像を記録する機能を有している。記録ユニット１５Ｙ、１５Ｍ、１５Ｃ、１５Ｋは、それぞれ、イエロー（Ｙ）トナーＴ、マゼンタ（Ｍ）トナーＴ、シアン（Ｃ）トナーＴ、ブラック（Ｋ）トナーＴで、記録用紙Ｐに画像を記録する。記録ユニット１５Ｙ、１５Ｍ、１５Ｃ、１５Ｋの構成は同様であるので、以下、記録ユニット１５Ｙについて説明する。
【００２９】
記録ユニット１５Ｙは、図１に示すように、トナー収容部２０Ｙと、トナー供給ローラ３０Ｙと、帯電部材の一例としての規制ブレード３５Ｙと、記録ヘッド４０Ｙと、逆帯電部の一例としての背面電極５０Ｙと、を有している。  
トナー収容部２０Ｙは、イエロー（Ｙ）トナーＴを収容する。このトナー収容部２０Ｙに収容されているトナーＴは、従来一般的に使用されている乾式トナーである。
【００３０】
トナー供給ローラ３０Ｙは、円柱形状の部材であり、トナー収容部２０Ｙに収容されているトナーＴを記録ヘッド４０Ｙに供給する。このトナー供給ローラ３０Ｙは、その下部がトナー収容部２０Ｙ内のトナーＴと接触するように、設けられており、かつ、記録ヘッド４０Ｙの下部に対向している。また、トナー供給ローラ３０Ｙは、不図示のトナー供給ローラ支持部によって、回転自在に支持されている。
【００３１】
規制ブレード３５Ｙは、トナー供給ローラ３０Ｙにその長手方向に沿って当接して、トナー供給ローラ３０Ｙ上のトナーＴを、所定の極性の一例としての負の極性に帯電させる。この規制ブレード３５Ｙは、ウレタンゴム等の弾性体からなり、不図示の規制ブレード支持部材により支持されている。なお、当該規制ブレード３５Ｙは、トナー供給ローラ３０Ｙに当接して、トナーＴの層厚を規制する機能をも発揮する。
【００３２】
記録ヘッド４０Ｙは、規制ブレード３５Ｙにより負の極性に帯電され、かつ、トナー供給ローラ３０Ｙにより供給されたトナーＴ、を、その表面４２Ｙで担持し、担持されたトナーＴを記録用紙Ｐに転写して、当該記録用紙Ｐに画像を記録する。記録ヘッド４０Ｙの詳細については後述する。
【００３３】
背面電極５０Ｙは、記録用紙Ｐを介して記録ヘッド４０Ｙの上部に対向する位置に設けられている。この背面電極５０Ｙは、記録ヘッド４０Ｙに担持されたトナーＴが記録用紙Ｐに転写される際にトナーＴを記録用紙Ｐの方に適切に向かわせるために、前記所定の極性（負の極性）とは逆の極性（正の極性）に帯電する。背面電極５０Ｙには、記録ヘッド４０Ｙに担持されたトナーＴが記録用紙Ｐに転写される際に、不図示の直流電源により、例えば、＋５００Ｖの電圧が印加される。
【００３４】
また、定着ユニット９０は、記録用紙Ｐ上に記録された画像（トナー像）を記録用紙Ｐに融着させて永久像とするためのものである。  
給紙ユニット９２は、記録ユニット１５Ｙ、１５Ｍ、１５Ｃ、１５Ｋに記録用紙Ｐを供給するためのものである。この給紙ユニット９２は、給紙トレイ９４と、給紙ローラ９６と、を有しており、記録用紙Ｐは、給紙ローラ９６により、給紙トレイ９４から、記録ユニット１５Ｙ、１５Ｍ、１５Ｃ、１５Ｋに供給される。
【００３５】
搬送ローラ９８は、給紙ユニット９２により記録ユニット１５Ｙ、１５Ｍ、１５Ｃ、１５Ｋに供給された記録用紙Ｐ、を搬送するためのものである。
【００３６】
＝＝＝制御ユニットの構成例＝＝＝
次に、制御ユニット１００の構成例について図２を参照しつつ説明する。  
制御ユニット１００は、図２に示すようにメインコントローラ１０１と、ユニットコントローラ１０２とで構成され、メインコントローラ１０１には画像の画像情報（画像信号）及び制御信号が入力され、この画像情報（画像信号）及び制御信号に基づく指令に応じてユニットコントローラ１０２が前記各ユニット等を制御して画像を記録する。  
メインコントローラ１０１は、インターフェイス１１２を介してホストコンピュータと接続され、このホストコンピュータから入力された画像情報（画像信号）を記憶するための画像メモリ１１３を備えている。ユニットコントローラ１０２は、前記各ユニット等（記録ユニット１５Ｙ、１５Ｍ、１５Ｃ、１５Ｋ、定着ユニット９０、給紙ユニット９２、搬送ローラ９８、表示ユニット）と電気的に接続され、それらが備えるセンサからの信号を適宜受信して、各ユニット等の状態を検出しつつ、メインコントローラ１０１から入力される信号に基づいて、各ユニットを制御する。
【００３７】
＝＝＝記録ヘッドの構成例＝＝＝
次に、図３及び図４を用いて、記録ヘッド４０Ｙ、４０Ｍ、４０Ｃ、４０Ｋの構成例について説明する。図３は、記録ヘッド４０Ｙの表面４２Ｙを示した模式図である。図４は、記録ヘッド４０Ｙの主要構成要素の電気的接続を説明するための説明図である。なお、図３においては、ピクセル回路４００の配置を明示するために、便宜上、実際のピクセル回路４００の数よりも少ない数のピクセル回路４００が示されている。また、図３においては、図１と同様、記録ヘッド４０Ｙの縦方向を矢印ｙで示すと共に、当該縦方向に垂直な方向（当該方向を、以下、記録ヘッド４０Ｙの横方向とも呼ぶ）を、矢印ｘで示している。なお、記録ヘッド４０Ｙの横方向は、図１においては、紙面を貫く方向に相当する。
【００３８】
また、前述したとおり、プリンタ１０には、４つの記録ヘッド４０Ｙ、４０Ｍ、４０Ｃ、４０Ｋが設けられているが、各記録ヘッド４０Ｙ、４０Ｍ、４０Ｃ、４０Ｋの構成は同様であるので、以下、記録ヘッド４０Ｙについて説明する。  
記録ヘッド４０Ｙは、薄い平板であり、図３に示すように、その表面４２Ｙに、ピクセル回路４００と、ゲートドライバ４４５（図２）と、ゲートライン４５０と、ソースドライバ４５５（図２）と、ソースライン４６０と、を有している。
【００３９】
ピクセル回路４００は、その主要構成要素として、図４に示すように、記録剤担持部の一例としてのピクセル電極４１０と、アクティブ素子の一例としての薄膜トランジスタ（以下、ＴＦＴ（Thin Film Transistor）４２０とも呼ぶ）と、保持容量（コンデンサ）４３０と、を有している。ピクセル回路４００は、図３に示すように、記録ヘッド４０Ｙの表面４２Ｙに格子状に複数設けられており、複数のピクセル回路４００の各々は、前記画像の画素に対応している。換言すれば、記録ヘッド４０Ｙは、ピクセル電極４１０、ＴＦＴ４２０、及び、保持容量（コンデンサ）４３０を複数組有しており、複数組の、ピクセル電極４１０、ＴＦＴ４２０、及び、保持容量（コンデンサ）４３０、の各々は、前記画像の画素に対応している。本実施の形態に係る記録ヘッド４０Ｙにおいては、ピクセル回路４００が、約４２μｍのピッチで配置されており、したがって、解像度（１インチあたりの画素数）は約６００ｄｐｉとなっている。
【００４０】
ここで、記録ヘッド４０Ｙに設けられているピクセル回路４００の数について、考察する。先ず、前記横方向ｘに並んでいるピクセル回路４００の数に着目すると、本実施の形態においては、記録ヘッド４０Ｙの横方向ｘにおける表面幅Ｗを、前述した給紙ユニット９２によって供給可能な記録用紙Ｐの最大幅（すなわち、給紙ユニット９２によって供給可能な記録用紙Ｐのうち最も大きい記録用紙Ｐの紙幅）に対応させており、したがって、記録ヘッド４０Ｙの横方向ｘに並んでいるピクセル回路４００の数は、前記記録用紙Ｐの最大幅に前述した解像度（１インチあたりの画素数、６００ｄｐｉ）を乗じた値となる。例えば、前記記録用紙Ｐの最大幅が２１０ｍｍ（８．２７インチ、Ａ４版の紙幅）であれば、約５０００個のピクセル回路４００が前記横方向ｘに並ぶこととなる。
【００４１】
一方、記録ヘッド４０Ｙの縦方向ｙに並んでいるピクセル回路４００の数に着目すると、本実施の形態においては、記録ヘッド４０Ｙの縦方向ｙにおける表面長さＬが、前述した給紙ユニット９２によって供給可能な記録用紙Ｐの最小長さ（すなわち、給紙ユニット９２によって供給可能な記録用紙Ｐのうち最も小さい記録用紙Ｐの紙長さ）よりも短くなっており、したがって、記録ヘッド４０Ｙの縦方向ｙに並んでいるピクセル回路４００の数は、前記記録用紙Ｐの最小長さに前述した解像度（１インチあたりの画素数、６００ｄｐｉ）を乗じた値よりも小さくなる。例えば、前記記録用紙Ｐの最小長さが１４８ｍｍ（５．８３インチ、はがきサイズの紙長さ）であれば、約３５００個よりも少ない数のピクセル回路４００が前記縦方向ｙに並ぶこととなる（本実施の形態においては、３０００個のピクセル回路４００が前記縦方向ｙに並んでいることとする）。
【００４２】
なお、記録ヘッド４０Ｙが、その下部がトナー供給ローラ３０Ｙに対向し、かつ、その上部が記録用紙Ｐを介して背面電極５０Ｙに対向するように、配置されていること、については既に説明したが、より具体的には、前記縦方向ｙに並んでいる約３０００個のピクセル回路４００のうちの最下部に位置するピクセル回路４００（前記縦方向ｙにおいて、１行目のピクセル回路４００）が、トナー供給ローラ３０Ｙに対向し、かつ、前記縦方向ｙに並んでいる約３０００個のピクセル回路４００のうちの最上部に位置するピクセル回路４００（前記縦方向ｙにおいて、約３０００行目のピクセル回路４００）が、記録用紙Ｐを介して背面電極５０Ｙに（または、記録用紙Ｐに）対向する。
【００４３】
本明細書においては、便宜上、前記最下部に位置し、トナー供給ローラ３０Ｙに対向する約５０００個のピクセル回路４００を第一ピクセル回路４０２と呼び、当該第一ピクセル回路４０２に備えられているピクセル電極４１０、ＴＦＴ４２０を、それぞれ、第一記録剤担持部の一例としての第一ピクセル電極４１２、第一ＴＦＴ４２２と呼ぶ。また、前記最上部に位置し、記録用紙Ｐを介して背面電極５０Ｙに対向する約５０００個のピクセル回路４００を第二ピクセル回路４０４と呼び、当該第二ピクセル回路４０４に備えられているピクセル電極４１０、ＴＦＴ４２０を、それぞれ、第二記録剤担持部の一例としての第二ピクセル電極４１４、第二ＴＦＴ４２４と呼ぶ。また、その他のピクセル回路４００を第三ピクセル回路４０６と呼び、当該第三ピクセル回路４０６に備えられているピクセル電極４１０、ＴＦＴ４２０を、それぞれ、第三記録剤担持部の一例としての第三ピクセル電極４１６、第三ＴＦＴ４２６と呼ぶ。なお、図３においては、１行目の９個のピクセル回路４００が第一ピクセル回路４０２に相当し、６行目の９個のピクセル回路４００が第二ピクセル回路４０４に相当し、２〜５行目の３６個のピクセル回路４００が第三ピクセル回路４０６に相当する。
【００４４】
次に、ピクセル回路４００の前述した主要構成要素の各々について説明する。  
ピクセル電極４１０は、画像を記録用紙Ｐに記録するために当該記録用紙Ｐに転写されるトナーＴ、を担持する役割を果たす。より具体的には、ピクセル電極４１０は、ＴＦＴ４２０や保持容量（コンデンサ）４３０の後述する作用により、帯電したトナーＴの極性（負の極性）とは逆の極性（正の極性）に帯電し、トナーＴ、ピクセル電極４１０間のクーロン力により、トナーＴを引き付けて該トナーＴを担持する。このピクセル電極４１０は、図４に示すように、ＴＦＴ４２０のドレインに電気的に接続されている。
【００４５】
ＴＦＴ４２０は、保持容量（コンデンサ）４３０と協働して、ピクセル電極４１０に前記トナーＴを担持させる役割を果たす。より具体的には、ＴＦＴ４２０は、後述するように、保持容量（コンデンサ）４３０と協働して、帯電したトナーＴの極性（負の極性）とは逆の極性（正の極性）にピクセル電極４１０を帯電させて、ピクセル電極４１０にトナーＴを担持させる。このＴＦＴ４２０は、例えば、低温多結晶シリコンからなるＮｃｈトランジスタであり、ゲートＧ、ソースＳ、ドレインＤを有している。図４に示すように、ゲートＧは、ゲートライン４５０に、ソースＳは、ソースライン４６０に、ドレインＤは、ピクセル電極４１０と保持容量（コンデンサ）４３０に、それぞれ電気的に接続されている。
【００４６】
保持容量（コンデンサ）４３０は、ＴＦＴ４２０と協働して、ピクセル電極４１０に前記トナーＴを担持させる役割を果たす。より具体的には、保持容量（コンデンサ）４３０は、後述するように、ＴＦＴ４２０と協働して、帯電したトナーＴの極性（負の極性）とは逆の極性（正の極性）にピクセル電極４１０を帯電させて、ピクセル電極４１０にトナーＴを担持させる。この保持容量（コンデンサ）４３０は、図４に示すように、その一端がＴＦＴ４２０のドレインＤに、かつ、他端が、基準電位ＢＥ（本実施の形態においては、２０Ｖ）に、電気的に接続されている。
【００４７】
また、ゲートドライバ４４５は、ユニットコントローラ１０２内の記録ヘッド駆動制御回路１０４（図２）から送られてくる制御信号に基づいて、ゲートライン４５０を介して、ＴＦＴ４２０のゲートＧに所定の電圧を印加する。ゲートドライバ４４５は、記録ヘッド駆動制御回路１０４と、ゲートライン４５０とに、電気的に接続されている。
【００４８】
また、ゲートライン４５０は、図３に示すように、その方向が記録ヘッド４０Ｙの横方向ｘに沿うように、複数設けられており、ゲートライン４５０の数は、記録ヘッド４０Ｙの縦方向ｙに並んだＴＦＴ４２０（ピクセル回路４００）の数（本実施の形態においては、約３０００個）と一致している。そして、ゲートライン４５０の各々には、前記横方向ｘに並んだＴＦＴ４２０のゲートＧが電気的に接続されている。すなわち、本実施の形態においては、約５０００個のＴＦＴ４２０の各々のゲートＧが一つのゲートライン４５０に電気的に接続されている。  
したがって、ゲートドライバ４４５は、一つのゲートライン４５０を介して、約５０００個のＴＦＴ４２０の各々のゲートＧに所定の電圧を印加することができる。
【００４９】
ソースドライバ４５５は、前記記録ヘッド駆動制御回路１０４から送られてくる制御信号に基づいて、ソースライン４６０を介して、ＴＦＴ４２０のソースＳに所定の電圧を印加する。ソースドライバ４５５は、記録ヘッド駆動制御回路１０４と、ソースライン４６０とに、電気的に接続されている。
【００５０】
また、ソースライン４６０は、図３に示すように、その方向が記録ヘッド４０Ｙの縦方向ｙに沿うように、複数設けられており、ソースライン４６０の数は、記録ヘッド４０Ｙの横方向ｘに並んだＴＦＴ４２０（ピクセル回路４００）の数（本実施の形態においては、約５０００個）と一致している。そして、ソースライン４６０の各々には、前記縦方向ｙに並んだＴＦＴ４２０のソースＳが電気的に接続されている。すなわち、本実施の形態においては、約３０００個のＴＦＴ４２０の各々のソースＳが一つのソースライン４６０に電気的に接続されている。  
したがって、ソースドライバ４５５は、一つのソースライン４６０を介して、約３０００個のＴＦＴ４２０の各々のソースＳに所定の電圧を印加することができる。
【００５１】
前述したとおり、ＴＦＴ４２０と保持容量４３０は、互いに協働して、帯電したトナーＴの極性（負の極性）とは逆の極性（正の極性）にピクセル電極４１０を帯電させて、ピクセル電極４１０にトナーＴを担持させる。ここでは、単一のピクセル回路４００に着目して、この仕組みについて説明する。
【００５２】
ゲートドライバ４４５が、ゲートライン４５０を介して、ＴＦＴ４２０のゲートＧに電圧Ｖｇｈを印加すると、ソースＳ、ドレインＤ間に電流が流れ、ＴＦＴ４２０が導通状態となる（すなわち、ＴＦＴ４２０が、ＯＮの状態になる）。ここで、ゲートドライバ４４５は、ＴＦＴ４２０に対するスイッチの役目を果たし、当該役目を果たすために、ゲートＧに２種類の電圧Ｖｇｈ、Ｖｇｌ（電圧Ｖｇｈは、電圧Ｖｇｌよりも高い）を印加することができるようになっている。すなわち、ゲートドライバ４４５が、ＴＦＴ４２０のゲートＧに電圧Ｖｇｈを印加したときには、ＴＦＴ４２０が導通状態（ＯＮの状態）となり、ＴＦＴ４２０のゲートＧに電圧Ｖｇｌを印加したときには、ＴＦＴ４２０が非導通状態（ＯＦＦの状態）となる。
【００５３】
そして、かかるＴＦＴ４２０の導通状態で、ソースＳの電位が前述した基準電位ＢＥよりも高い場合には、前述した保持容量（コンデンサ）４３０のピクセル電極４１０側（ドレインＤ側）の電位が、当該保持容量（コンデンサ）４３０の基準電位ＢＥ側の電位よりも高くなるから、ピクセル電極４１０が正の極性に帯電する。したがって、ゲートドライバ４４５によりＴＦＴ４２０のゲートＧに電圧Ｖｇｈが印加される際に、ソースドライバ４５５によりＴＦＴ４２０のソースＳに前記基準電位ＢＥよりも高い電圧が印加されれば、ＴＦＴ４２０と保持容量４３０とが協働することにより、ピクセル電極４１０は正の極性に帯電し、トナーＴ、ピクセル電極４１０間のクーロン力により当該ピクセル電極４１０に負帯電のトナーＴが担持される。特許文献２のように記録用紙Ｐを介在させてトナーＴを担持する場合と異なり、直接、トナーＴを担持するので低電圧でも距離が近く、必要なクーロン力を生じさせることができる。
【００５４】
なお、ソースＳの電位が前述した基準電位ＢＥよりも低い場合には、前述した保持容量（コンデンサ）４３０のピクセル電極４１０側（ドレインＤ側）の電位が、当該保持容量（コンデンサ）４３０の基準電位ＢＥ側の電位よりも低くなるから、ピクセル電極４１０が負の極性に帯電する。したがって、ゲートドライバ４４５によりＴＦＴ４２０のゲートＧに電圧Ｖｇｈが印加される際に、ソースドライバ４５５によりＴＦＴ４２０のソースＳに前記基準電位ＢＥよりも低い電圧が印加されれば、ＴＦＴ４２０と保持容量４３０とが協働することにより、ピクセル電極４１０は負の極性に帯電することとなる。ピクセル電極４１０が負の極性に帯電した場合には、ピクセル電極４１０と負帯電のトナーＴとの間に反発力が働くから、当該ピクセル電極４１０には、負帯電のトナーＴが担持されず、当該トナーＴは、ピクセル電極４１０から引き離されることとなる。
【００５５】
このように、ソースドライバ４５５は、ＴＦＴ４２０等の作用、すなわち、ピクセル電極４１０にトナーＴを担持させたり、ピクセル電極４１０からトナーＴを引き離したりする作用、を制御する役目を果たす。そして、当該役目を果たすために、ソースＳに、前記基準電位ＢＥよりも高い２種類の電圧Ｖｓｍ、Ｖｓｈと、前記基準電位ＢＥよりも低い１種類の電圧Ｖｓｌを印加することができるようになっている。
【００５６】
なお、本実施の形態においては、電圧Ｖｓｍは４０Ｖ、電圧Ｖｓｈは３０Ｖ、電圧Ｖｓｌは１０Ｖである。また、ソースドライバ４５５がＴＦＴ４２０のソースＳに電圧Ｖｓｍを印加したときと電圧Ｖｓｌを印加したときのいずれの場合においても、ピクセル電極４１０は正の極性に帯電するが、電圧Ｖｓｍは電圧Ｖｓｈよりも高いため、電圧Ｖｓｍが印加された際には、電圧Ｖｓｈが印加される場合に比べて、ピクセル電極４１０がより強く正の極性に帯電する。なお、電圧Ｖｓｍと電圧Ｖｓｈの使い分けについては、後に詳述する。
【００５７】
＝＝＝記録装置の動作例＝＝＝
次に、このように構成された記録装置としてのプリンタ１０の動作について、図５乃至図８を用いて説明する。図５は、ピクセル回路４００（ピクセル電極４１０、ＴＦＴ４２０）、ゲートライン４５０、及び、ソースライン４６０に付した番号を示す図である。図６乃至図８は、ピクセル電極４１０にトナーＴが担持されている様子を示す模式図である。
【００５８】
なお、本項においては、プリンタ１０の動作の一例として、縦方向３画素×横方向３画素からなる微小な正方形を、図３に示された記録ヘッド４０Ｙ、４０Ｍ、４０Ｃ、４０Ｋを用いて、記録用紙Ｐに記録する例について説明する。また、以降の説明を分かり易くするために、ピクセル回路４００（ピクセル電極４１０、ＴＦＴ４２０）には、＃１１〜＃１９、＃２１〜＃２９、＃３１〜＃３９、＃４１〜＃４９、＃５１〜＃５９、＃６１〜＃６９の番号を、ゲートライン４５０には、＃１０、＃２０、＃３０、＃４０、＃５０、＃６０の番号を、ソースライン４６０には、＃０１〜＃０９の番号を、図５に示すように、それぞれ付すこととする
まず、不図示のホストコンピュータからの画像情報（画像信号）及び制御信号がインターフェイス（Ｉ／Ｆ）１１２を介してプリンタ１０のメインコントローラ１０１に入力されると、このメインコントローラ１０１からの指令に基づくユニットコントローラ１０２の制御によりトナー供給ローラ３０Ｙ、３０Ｍ、３０Ｃ、３０Ｋが回転する。トナー収容部２０Ｙ、２０Ｍ、２０Ｃ、２０Ｋに収容され、かつ、トナー供給ローラ３０Ｙ、３０Ｍ、３０Ｃ、３０Ｋに接触しているトナーＴは、トナー供給ローラ３０Ｙ、３０Ｍ、３０Ｃ、３０Ｋの回転に伴って、規制ブレード３５Ｙ、３５Ｍ、３５Ｃ、３５Ｋの当接位置に至り、該当接位置を通過する際に、層厚が規制されるとともに、負極性の電荷が付与される。層厚が規制され、負極性の電荷が付与されたトナー供給ローラ３０Ｙ、３０Ｍ、３０Ｃ、３０Ｋ上の負帯電トナーＴは、トナー供給ローラ３０Ｙ、３０Ｍ、３０Ｃ、３０Ｋのさらなる回転によって、記録ヘッド４０Ｙ、４０Ｍ、４０Ｃ、４０Ｋの前記第一ピクセル回路４０２に対向する対向位置に至る。
【００５９】
ここで、記録ヘッド４０Ｙの第一ピクセル回路４０２に備えられている第一ＴＦＴ４２２が、前記画像情報（画像信号）に基づいて、第一ピクセル電極４１２を正の極性に帯電させて、第一ピクセル電極４１２に負帯電イエロー（Ｙ）トナーＴを担持させる。本実施の形態においては、縦方向３画素×横方向３画素からなる微小な正方形を記録用紙Ｐに記録するから、先ず、第一ＴＦＴ４２２は、横方向ｘに並んだ３つの第一ピクセル電極４１２（＃１４〜＃１６番の第一ピクセル電極４１２）を正の極性に帯電させて、図６に示すように、これらの第一ピクセル電極４１２に負帯電イエロー（Ｙ）トナーＴを担持させる。
【００６０】
より具体的には、初期状態ではゲートドライバ４４５により、すべてのゲートＧに電圧Ｖｇｌを印加する。かかる際に、すべてのＴＦＴ４２０が、ソースラインと非導通状態（ＯＦＦの状態）になっている。次に、記録ヘッド駆動制御回路１０４から送られてくる制御信号に基づいて、ゲートドライバ４４５が、＃１０番のゲートライン４５０を介して、＃１１〜＃１９番の第一ＴＦＴ４２２の各々のゲートＧに電圧Ｖｇｈを印加すると共に、ソースドライバ４５５が、＃０１〜＃０９番のソースライン４６０を介して、＃１４〜＃１６番の第一ＴＦＴ４２２の各々のソースＳに電圧Ｖｓｈを、＃１１〜＃１３、＃１７〜＃１９番の第一ＴＦＴ４２２の各々のソースＳに電圧Ｖｓｌを、それぞれ印加する。このことにより、＃１４〜＃１６番の第一ＴＦＴ４２２は、＃１４〜＃１６番の第一ピクセル電極４１２を正の極性に帯電させ、＃１１〜＃１３、＃１７〜＃１９番の第一ＴＦＴ４２２は、＃１１〜＃１３、＃１７〜＃１９番の第一ピクセル電極４１２を負の極性に帯電させる。したがって、＃１４〜＃１６番の第一ピクセル電極４１２のみに負帯電イエロー（Ｙ）トナーＴが担持されることとなる。その後、＃１１〜＃１９番の第一ＴＦＴ４２２の各々のゲートＧに電圧Ｖｇｌを印加する。＃１１〜＃１９番の第一ＴＦＴ４２２はすべてソースラインと非導通状態（ＯＦＦの状態）になり、所定の電位は保持され継続的に負帯電イエロー（Ｙ）トナーＴが担持される。
【００６１】
次に、ＴＦＴ４２０は、第一ピクセル電極４１２に担持された負帯電イエロー（Ｙ）トナーＴを、当該第一ピクセル電極４１２から、第一ピクセル電極４１２から第二ピクセル電極４１４までの負帯電イエロー（Ｙ）トナーＴの移動経路となる第三ピクセル電極４１６を経由して、第二ピクセル電極４１４まで移動させる。
【００６２】
かかる際に、ＴＦＴ４２０は、先ず、＃１４〜＃１６番の第一ピクセル電極４１２に担持された負帯電イエロー（Ｙ）トナーＴを、一行先の第三ピクセル電極４１６、すなわち、＃２４〜＃２６番の第三ピクセル電極４１６に移動させる。より具体的には、記録ヘッド駆動制御回路１０４から送られてくる制御信号に基づいて、ゲートドライバ４４５が、＃２０番のゲートライン４５０を介して、＃２１〜＃２９番の第三ＴＦＴ４２６の各々のゲートＧに電圧Ｖｇｈを印加すると共に、ソースドライバ４５５が、＃０１〜＃０９番のソースライン４６０を介して、＃２４〜＃２６番の第三ＴＦＴ４２６の各々のソースＳに電圧Ｖｓｍを、＃２１〜＃２３、＃２７〜＃２９番の第三ＴＦＴ４２６の各々のソースＳに電圧Ｖｓｌを、それぞれ印加する。その後、＃２１〜＃２９番の第三ＴＦＴ４２６の各々のゲートＧに電圧Ｖｇｌを印加する。＃２１〜＃２９番の第三ＴＦＴ４２６はすべてソースラインと非導通状態（ＯＦＦの状態）になり、所定の電位はそれぞれ保持される。さらに、ゲートドライバ４４５が、＃１０番のゲートライン４５０を介して、＃１１〜＃１９番の第一ＴＦＴ４２２の各々のゲートＧに電圧Ｖｇｈを印加すると共に、ソースドライバ４５５が、＃０１〜＃０９番のソースライン４６０を介して、＃１１〜＃１９番の第一ＴＦＴ４２２の各々のソースＳに電圧Ｖｓｌを印加する。その後、＃１１〜＃１９番の第一ＴＦＴ４２２の各々のゲートＧに電圧Ｖｇｌを印加する。＃１１〜＃１９番の第一ＴＦＴ４２２はすべてソースラインと非導通状態（ＯＦＦの状態）になり、所定の電位は保持される。このことにより、＃２４〜＃２６番の第三ＴＦＴ４２６は、＃２４〜＃２６番の第三ピクセル電極４１６を正の極性に強く帯電させ、＃１４〜＃１６番の第一ＴＦＴ４２２は、＃１４〜＃１６番の第一ピクセル電極４１２を負の極性に帯電させる。したがって、＃１４〜＃１６番の第一ピクセル電極４１２に担持された負帯電イエロー（Ｙ）トナーＴが、図７に示すように、一行先の第三ピクセル電極４１６、すなわち、＃２４から＃２６番の第三ピクセル電極４１６に移動することとなる。
【００６３】
なお、上記においては、ソースドライバ４５５が、＃０１〜＃０９番のソースライン４６０を介して、＃２４〜＃２６番の第三ＴＦＴ４２６の各々のソースＳに電圧Ｖｓｍを、＃２１〜＃２３、＃２７〜＃２９番の第三ＴＦＴ４２６の各々のソースＳに電圧Ｖｓｌを、それぞれ印加することとしたが、これに限定されるものではなく、例えば、＃２１〜＃２９番の第三ＴＦＴ４２６の各々のソースＳに電圧Ｖｓｍを印加することとしてもよい。すなわち、＃１４〜＃１６番の第一ピクセル電極４１２に担持された負帯電イエロー（Ｙ）トナーＴを、＃２４〜＃２６番の第三ピクセル電極４１６に適切に移動させる観点（1行の平行移動）からすると、＃２１〜＃２３、＃２７〜＃２９番の第三ＴＦＴ４２６の各々のソースＳの電圧は、電圧Ｖｓｍでも、電圧Ｖｓｌでも構わない。しかしながら、＃１１〜＃１３、＃１７〜＃１９番の第一ピクセル電極４１２に、負帯電イエロー（Ｙ）トナーＴが、誤って担持されてしまった場合に、当該負帯電イエロー（Ｙ）トナーＴの、一行先の第三ピクセル電極４１６への移動を抑止することを考慮すると、＃２１〜＃２３、＃２７〜＃２９番の第三ＴＦＴ４２６の各々のソースＳの電圧は電圧Ｖｓｌである方がより望ましい。
【００６４】
また、負帯電イエロー（Ｙ）トナーＴの第三ピクセル電極４１６への移動完了のタイミングで、ゲートドライバ４４５は、＃２０番のゲートライン４５０を介して、＃２１〜＃２９番の第三ＴＦＴ４２６の各々のゲートＧに電圧Ｖｇｈを印加すると共に、ソースドライバ４５５は、＃０４〜＃０６番のソースライン４６０を介して、＃２４〜＃２６番の第三ＴＦＴ４２６の各々のソースＳに電圧Ｖｓｈを印加する。このことにより、ソースＳの電位がＶｓｍからＶｓｈに変化し、＃２４〜＃２６番の第三ピクセル電極４１６の強い正帯電状態が、より弱い（通常の）正帯電状態に移行することとなる。
【００６５】
さらに、上記と同様の原理で、ＴＦＴ４２０は、＃２４〜＃２６番の第三ピクセル電極４１６に移動した負帯電イエロー（Ｙ）トナーＴを＃３４〜＃３６番の第三ピクセル電極４１６に移動させ、＃３４〜＃３６番の第三ピクセル電極４１６に移動した負帯電イエロー（Ｙ）トナーＴを＃４４〜＃４６番の第三ピクセル電極４１６に移動させ、＃４４〜＃４６番の第三ピクセル電極４１６に移動した負帯電イエロー（Ｙ）トナーＴを＃５４〜＃５６番の第三ピクセル電極４１６に移動させ、最終的には、＃５４〜＃５６番の第三ピクセル電極４１６に移動した負帯電イエロー（Ｙ）トナーＴを＃６４〜＃６６番の第二ピクセル電極４１４に移動させる（図８）。
【００６６】
次に、第二ＴＦＴ４２４が、前述した背面電極５０Ｙと協働して、第二ピクセル電極４１４に移動し、かつ、当該第二ピクセル電極４１４に担持された負帯電イエロー（Ｙ）トナーＴを、記録用紙Ｐに転写する。
【００６７】
より具体的には、記録ヘッド駆動制御回路１０４から送られてくる制御信号に基づいて、ゲートドライバ４４５が、＃６０番のゲートライン４５０を介して、＃６１〜＃６９番の第二ＴＦＴ４２４の各々のゲートＧに電圧Ｖｇｈを印加すると共に、ソースドライバ４５５が、＃０１〜＃０９番のソースライン４６０を介して、＃６１〜＃６９番の第二ＴＦＴ４２４の各々のソースＳに電圧Ｖｓｌを印加する。このことにより、＃６４〜＃６６番の第二ＴＦＴ４２４は、＃６４〜＃６６番の第二ピクセル電極４１４を負の極性に帯電させる。一方、当該第二ピクセル電極４１４に記録用紙Ｐを介して対向している背面電極５０Ｙは、背面電極駆動制御回路から送られてくる制御信号に基づいて、正の極性に強く帯電する。したがって、第二ＴＦＴ４２４は、＃６４〜＃６６番の第二ピクセル電極４１４に担持された負帯電イエロー（Ｙ）トナーＴを、当該第二ピクセル電極４１４から引き離し、背面電極５０Ｙは、＃６４〜＃６６番の第二ピクセル電極４１４に担持された負帯電イエロー（Ｙ）トナーＴを、記録用紙Ｐの方向に向かわせることとなる。そして、記録用紙Ｐに向かった負帯電イエロー（Ｙ）トナーＴは記録用紙Ｐに付着し、負帯電イエロー（Ｙ）トナーＴが記録用紙Ｐに転写される。なお、記録用紙Ｐは、給紙ローラ９６により、給紙トレイ９４から供給される。  
このようにして、縦方向３画素×横方向３画素からなる微小な正方形のうちの、一行分が、イエロー（Ｙ）トナーＴで記録用紙Ｐに記録される。そして、上記の処理が、さらに二回繰り返されて、縦方向３画素×横方向３画素からなる微小な正方形が、イエロー（Ｙ）トナーＴで記録用紙Ｐに記録されることとなる。なお、かかる際には、記録用紙Ｐは、搬送ローラ９８により、順次、一行分ずつ搬送される。また、この例では、一行単位での搬送を示したが、もちろん複数行（面単位）での同時搬送も望ましい。その場合は、各行の搬送手順が時間的にオーバーラップした並列処理となる。
【００６８】
さらに、上記の処理が、第２色目（マゼンタ）、第３色目（シアン）、及び、第４色目(ブラック）について、各々の記録ヘッド４０Ｍ、４０Ｃ、４０Ｋ毎に順次実行されることにより、フルカラーの画像（微小な正方形）が記録用紙Ｐに記録されることとなる。記録用紙Ｐに記録されたフルカラーの画像は、定着ユニット９０によって加熱加圧されて記録用紙Ｐに融着され、当該フルカラーの画像が記録された記録用紙Ｐは、最終的に、不図示の排紙部に排出される。
【００６９】
なお、上記においては、画像の画像情報に基づいてトナーＴを担持する第一ピクセル電極４１２と、画像情報に基づいて第一ピクセル電極４１２にトナーＴを担持させる第一ＴＦＴ４２２が、トナー供給ローラ３０Ｙ、３０Ｍ、３０Ｃ、３０Ｋに対向する、記録ヘッド４０Ｙ、４０Ｍ、４０Ｃ、４０Ｋの最下部、に位置することとしたが、これに限定されるものではない。例えば、当該第一ピクセル電極４１２と第一ＴＦＴ４２２が、トナー供給ローラ３０Ｙ、３０Ｍ、３０Ｃ、３０Ｋに対向しない位置（前記最下部よりも上側）に配置されていることとしてもよい。かかる場合には、ＴＦＴ４２０が、記録ヘッド４０Ｙ、４０Ｍ、４０Ｃ、４０Ｋの最下部に位置するピクセル電極４１０から前記第一ピクセル電極４１２の手前までトナーＴを移動させ、その後、第一ＴＦＴ４２２が、画像情報に基づいて第一ピクセル電極４１２に当該トナーＴを担持させることとなる。
【００７０】
＝＝＝本実施の形態に係る記録ヘッド、記録装置等の有効性について＝＝＝
背景技術の項で説明したとおり、プリンタ等の記録装置として、画像の画像情報に基づいた、薄膜トランジスタ（ＴＦＴ）等のアクティブ素子の制御、により、トナー等の記録剤を記録用紙等の媒体に転写して、媒体に画像を記録する装置が、知られている。
【００７１】
このような記録装置の一例としては、記録剤供給（収容）装置を、アパチャ電極体を介して媒体に対向させ、記録剤供給（収容）装置内の記録剤の、アパチャ電極体中の通過、非通過、を、画像の画像情報に基づいてアクティブ素子により制御し、記録剤を当該画像情報に応じて媒体に転写して、媒体に画像を記録する装置が挙げられる（特許文献１参照）。
【００７２】
また、他の例としては、記録剤供給（収容）装置を、媒体を介して電極に対向させ、当該電極の電位を、画像の画像情報に基づいてアクティブ素子により制御し、記録剤供給（収容）装置内の帯電した記録剤を当該画像情報に応じて媒体に転写して、媒体に画像を記録する装置が挙げられる（特許文献２参照）。
【００７３】
しかしながら、上述した二つの例に係る記録装置においては、次のような課題がある。特許文献１に示したアパチャ（開口部）による方式では、高解像化を図るとアパチャの狭小化により、目詰まりを起しやすくなる。従って高速高解像でありながら信頼性の高い製品を実現することは困難であった。また、特許文献２に示した方式では、記録剤供給（収容）装置自体が媒体に対向するため、前述した制御に反して、記録剤供給（収容）装置内の記録剤が媒体に付着してしまう蓋然性が高くなる。例えば、当該制御の切り替えタイミング等で、かかる事象が生じ易くなる。そして、かかる事象が生じた場合には、画像情報に応じた画像が媒体に記録されず、その画質に劣化が生ずることとなる。また、媒体を介して電界を与えるため、記録剤を制御する電圧の大部分が媒体に加わるので、非常に高い電圧（数百Ｖ）をＴＦＴに印加することが必要とされ、現実的なプロセス及びサイズのＴＦＴ素子では実現不可能であった。
【００７４】
一方、上記実施の形態に係る記録装置（プリンタ１０）は、画像を記録するために記録用紙Ｐに転写されるトナーＴ、を担持するためのピクセル電極４１０と、前記画像の画像情報に基づいてピクセル電極４１０にトナーＴを担持させるためのＴＦＴ４２０と、を有する記録ヘッド４０Ｙ、４０Ｍ、４０Ｃ、４０Ｋ、を備えているから、画像情報に基づいてピクセル電極４１０に担持されたトナーＴのみを、記録用紙Ｐに対向させることができる。そのため、当該記録装置（プリンタ１０）においては、アクティブ素子による制御に反してトナーＴが記録用紙Ｐに付着してしまう上述した問題は発生せず、低い電圧をＴＦＴに印加することで実現可能となった。したがって、画像情報に応じた画像が記録用紙Ｐに確実に記録され、延いては、高画質な画像が記録用紙Ｐに記録されることとなる。
【００７５】
＝＝＝その他の実施の形態＝＝＝
以上、上記実施の形態に基づき本発明に係る記録ヘッド等を説明したが、上記した発明の実施の形態は、本発明の理解を容易にするためのものであり、本発明を限定するものではない。本発明は、その趣旨を逸脱することなく、変更、改良され得ると共に、本発明にはその等価物が含まれることはもちろんである。
【００７６】
上記実施の形態においては、記録装置としてフルカラーのプリンタ１０を例にとって説明したが、本発明は、モノクロプリンタにも適用可能である。また、プリンタだけでなく、プロッター、複写機、ファクシミリなど、各種の記録装置に適用可能である。
【００７７】
また、上記実施の形態においては、媒体として、記録用紙Ｐを例にとって説明したが、これに限定されるものではなく、例えば、当該媒体は、トナーを記録用紙に転写する際の媒体となる所謂中間転写媒体であってもよい。すなわち、記録ヘッドが画像を記録用紙に直接記録するのではなく、記録ヘッドが、一旦、中間転写媒体に画像を記録し、中間転写媒体に記録された画像が、最終的に、記録用紙に記録されるようにしてもよい。
【００７８】
また、上記実施の形態においては、記録剤として乾式トナーＴを例にとって説明したが、帯電可能な記録剤であればどのようなものを用いてもよい。例えば、液体トナーやインク等を用いてもよい。液体トナーやインクを用いた場合には、撥液性を利用した帯電液滴搬送の形態となる。
【００７９】
また、上記実施の形態においては、アクティブ素子として、薄膜トランジスタ（ＴＦＴ４２０）を例にとって説明したが、これに限定されるものではなく、例えば、薄膜ダイオード（ＴＦＤ）であってもよい。  
ただし、ＴＦＴ４２０の優れたスイッチング性能により、ピクセル電極４１０にトナーＴをすばやく担持させることが可能となる点で、上記実施の形態の方がより望ましい。
【００８０】
また、上記実施の形態において、前記記録剤担持部は、ピクセル電極４１０であることとしたが、これに限定されるものではない。例えば、記録剤担持部は、ピクセル電極４１０と、これを保護するための酸化シリコン等からなる薄い保護膜と、で構成されることとしてもよい。また、配線領域（ゲートライン、ソースライン）を含めた記録ヘッド全体で、電荷のリーク、荷電トナーとの電荷の相殺を防ぐ目的や表面の平坦性や滑らかさの為に酸化シリコン等の保護膜を付けることも望ましい。
【００８１】
また、上記実施の形態においては、記録ヘッド駆動制御回路１０４は、ユニットコントローラ１０２に設けられていることとしたが、これに限定されるものではなく、例えば、記録ヘッド４０Ｙ、４０Ｍ、４０Ｃ、４０Ｋに設けられていることとしてもよい。また、当該記録ヘッド駆動制御回路１０４や前述したゲートドライバ４４５及びソースドライバ４５５を、低温多結晶シリコンで構成することとしてもよい。
【００８２】
また、上記実施の形態において、ＴＦＴ４２０は、記録用紙ＰにトナーＴを転写させる際に、ピクセル電極４１０を負の極性に帯電させて、ピクセル電極４１０に担持されている負帯電トナーＴをピクセル電極４１０から引き離すこととしたが、これに限定されるものでない。例えば、記録用紙ＰにトナーＴを転写させる際に、ピクセル電極４１０を負の極性に帯電させないこととしてもよい（すなわち、正の極性に帯電した背面電極５０Ｙと負帯電トナーＴとのクーロン力のみにより、負帯電トナーＴを記録用紙Ｐに付着させる）。  
ただし、トナーＴをより適切に記録用紙Ｐに転写させることが可能となる点で、上記実施の形態の方がより望ましい。
【００８３】
また、上記実施の形態において、記録ヘッド４０Ｙ、４０Ｍ、４０Ｃ、４０Ｋは平板であることとした（かかる場合には、第一ピクセル電極４１２から第二ピクセル電極４１４へ向かう方向が、第一ピクセル電極４１２から前記第三ピクセル電極４１６へ向かう方向に沿っている）が、これに限定されるものではない。例えば、図９に示すように、記録ヘッド４０Ｙ、４０Ｍ、４０Ｃ、４０Ｋは湾曲しており、第一ピクセル電極４１２から第二ピクセル電極４１４へ向かう方向が、第一ピクセル電極４１２から前記第三ピクセル電極４１６へ向かう方向に沿わないこととしてもよい。
【００８４】
記録ヘッド４０Ｙ、４０Ｍ、４０Ｃ、４０Ｋが、かかる構成を有する場合には、図９に示されるように、記録用紙Ｐの画像記録面と当該記録用紙Ｐに対向する第二ピクセル電極４１４のトナー担持面とが平行になるように、記録ヘッド４０Ｙ、４０Ｍ、４０Ｃ、４０Ｋを配置することができる。したがって、かかる場合には、第二ピクセル電極４１４に担持されたトナーＴを、記録用紙Ｐに、より適切に転写させることが可能となる点で、メリットが生じる。なお、図９は、他の例に係る記録ヘッド４０Ｙを備えた記録ユニット１５Ｙを示した図である。
【００８５】
また、上記実施の形態において、記録ヘッド４０Ｙ、４０Ｍ、４０Ｃ、４０Ｋは、ピクセル電極４１０として、画像の画像情報に基づいてトナーＴを担持する第一ピクセル電極４１２と、記録用紙Ｐに対向する第二ピクセル電極４１４と、第一ピクセル電極４１２から第二ピクセル電極４１４までのトナーＴの移動経路となる第三ピクセル電極４１６と、を有し、ＴＦＴ４２０は、前記画像の画像情報に基づいて、第一ピクセル電極４１２にトナーＴを担持させた後に、当該トナーＴを第一ピクセル電極４１２から第三ピクセル電極４１６を経由して第二ピクセル電極４１４まで移動させ、第二ピクセル電極４１４に移動したトナーＴを該第二ピクセル電極４１４から引き離すこととしたが、これに限定されるものではない。
【００８６】
例えば、記録ヘッド４０Ｙ、４０Ｍ、４０Ｃ、４０Ｋにおいて、ピクセル電極４１０は移動可能であり、ＴＦＴ４２０が、画像の画像情報に基づいて、ピクセル電極４１０にトナーＴを担持させた後に、トナーＴを担持しているピクセル電極４１０が記録用紙Ｐに対向する位置に移動し、ＴＦＴ４２０が、前記位置に移動したピクセル電極４１０、に担持されているトナーＴを該ピクセル電極４１０から引き離すこととしてもよい。
【００８７】
上記を簡易に実現する記録ヘッド４０Ｙ、４０Ｍ、４０Ｃ、４０Ｋの構成について、図１０を用いて説明する。図１０は、他の例に係る記録ヘッド４０Ｙを備えた記録ユニット１５Ｙを示した図である。当該記録ヘッド４０Ｙ、４０Ｍ、４０Ｃ、４０Ｋは、その表面４２Ｙ、４２Ｍ、４２Ｃ、４２Ｋにピクセル電極４１０（ピクセル回路４００）を有する円柱形状の部材である。さらに、当該記録ヘッド４０Ｙ、４０Ｍ、４０Ｃ、４０Ｋは、不図示の記録ヘッド支持部により回転自在に支持されており、記録ヘッド４０Ｙ、４０Ｍ、４０Ｃ、４０Ｋの回転に伴ってピクセル電極４１０（ピクセル回路４００）が移動可能となるように、構成されている。
【００８８】
そして、トナー供給ローラ３０Ｙ、３０Ｍ、３０Ｃ、３０Ｋ上の負帯電トナーＴが記録ヘッド４０Ｙ、４０Ｍ、４０Ｃ、４０Ｋのピクセル電極４１０に対向する対向位置に至ると、ＴＦＴ４２０が、前記画像情報（画像信号）に基づいて、ピクセル電極４１０に負帯電トナーＴを担持させる。負帯電トナーＴを担持しているピクセル電極４１０は、記録ヘッド４０Ｙ、４０Ｍ、４０Ｃ、４０Ｋが回転することにより、記録用紙Ｐに対向する位置に移動する。ＴＦＴ４２０は、当該位置に移動したピクセル電極４１０、に担持されているトナーＴを該ピクセル電極４１０から引き離し、背面電極５０Ｙ、５０Ｍ、５０Ｃ、５０Ｋは、当該トナーＴを記録用紙Ｐの方向に向かわせる。このことにより、記録用紙Ｐに向かった負帯電トナーＴは記録用紙Ｐに付着し、負帯電トナーＴが記録用紙Ｐに転写される。
【００８９】
ここで、図１（または、図９）に示された記録ヘッド４０Ｙ、４０Ｍ、４０Ｃ、４０Ｋ及び図１０に示された記録ヘッド４０Ｙ、４０Ｍ、４０Ｃ、４０Ｋの各々のメリットについて、双方を比較しながら考察する。
【００９０】
上記から明らかなように、双方の相違点としては、画像の画像情報に基づいてトナーＴを担持するピクセル電極４１０から記録用紙Ｐに対向するピクセル電極４１０までのトナーＴの移動経路となるピクセル電極４１０の有無、を挙げることができる。すなわち、図１（または、図９）に係る例においては、トナーＴが記録ヘッド４０Ｙ、４０Ｍ、４０Ｃ、４０Ｋの表面（ピクセル電極４１０）上を移動するのに対し、図１０に係る例においては、トナーＴは、記録ヘッド４０Ｙ、４０Ｍ、４０Ｃ、４０Ｋの表面（ピクセル電極４１０）上を移動せず、ピクセル電極４１０（ピクセル回路４００）と一体的に移動する。
【００９１】
したがって、図１０に係る例においては、画像の画像情報に基づいてトナーＴを担持するピクセル電極４１０から記録用紙Ｐに対向するピクセル電極４１０までトナーＴを移動させるための、ＴＦＴ４２０による制御、が省略されるため、ＴＦＴ４２０により実行される制御が単純化される点を、メリットとして挙げることができる。
【００９２】
一方、図１（または、図９）に係る例においては、トナーＴが記録ヘッド４０Ｙ、４０Ｍ、４０Ｃ、４０Ｋの表面（ピクセル電極４１０）上を移動する構成を有しているから、前述したとおり、第一ピクセル電極４１２に誤って担持されてしまったトナーＴが、最終的に、記録用紙Ｐに対向する第二ピクセル電極４１４に担持されないようにするために、その移動を抑止する方策を採ることが可能となる点を、メリットとして挙げることができる。
【００９３】
また、上記実施の形態において、薄膜トランジスタ（ＴＦＴ４２０）は、低温多結晶シリコンからなることとしたが、これに限定されるものではない。例えば、薄膜トランジスタ（ＴＦＴ４２０）は、アモルファスシリコンからなることとしてもよい。ただし、上述したような高精細な薄膜トランジスタ（ＴＦＴ４２０）を有する記録ヘッド４０Ｙ、４０Ｍ、４０Ｃ、４０Ｋを簡易に製造することが可能となる点で、上記実施の形態の方がより望ましい。なお、図９や図１０に係る例においては、薄膜トランジスタ（ＴＦＴ４２０）が、上述したような無機トランジスタではなく、有機トランジスタである場合に、以下のメリットが生ずる。すなわち、有機トランジスタは低温多結晶シリコンからなるトランジスタよりも優れた可撓性を有するから、図９や図１０に示された記録ヘッド４０Ｙ、４０Ｍ、４０Ｃ、４０Ｋを簡易に製造することが可能となる。
【００９４】
＝＝＝記録システムの構成例＝＝＝
次に、本発明に係る実施の形態の一例である記録システムの実施形態について、図面を参照しながら説明する。
【００９５】
図１１は、記録システムの外観構成を示した説明図である。記録システム７００は、コンピュータ７０２と、表示装置７０４と、プリンタ７０６と、入力装置７０８と、読取装置７１０とを備えている。コンピュータ７０２は、本実施形態ではミニタワー型の筐体に収納されているが、これに限られるものではない。表示装置７０４は、ＣＲＴ（Cathode Ray Tube：陰極線管）やプラズマディスプレイや液晶表示装置等が用いられるのが一般的であるが、これに限られるものではない。プリンタ７０６は、上記に説明されたプリンタが用いられている。入力装置７０８は、本実施形態ではキーボード７０８Ａとマウス７０８Ｂが用いられているが、これに限られるものではない。読取装置７１０は、本実施形態ではフレキシブルディスクドライブ装置７１０ＡとＣＤ−ＲＯＭドライブ装置７１０Ｂが用いられているが、これに限られるものではなく、例えばＭＯ（Magneto Optical）ディスクドライブ装置やＤＶＤ（Digital Versatile Disk）等の他のものであっても良い。
【００９６】
図１２は、図１１に示した記録システムの構成を示すブロック図である。コンピュータ７０２が収納された筐体内にＲＡＭ等の内部メモリ８０２と、ハードディスクドライブユニット８０４等の外部メモリがさらに設けられている。
【００９７】
なお、以上の説明においては、プリンタ７０６が、コンピュータ７０２、表示装置７０４、入力装置７０８、及び、読取装置７１０と接続されて記録システムを構成した例について説明したが、これに限られるものではない。例えば、記録システムが、コンピュータ７０２とプリンタ７０６から構成されても良く、記録システムが表示装置７０４、入力装置７０８及び読取装置７１０のいずれかを備えていなくても良い。
【００９８】
また、例えば、プリンタ７０６が、コンピュータ７０２、表示装置７０４、入力装置７０８、及び、読取装置７１０のそれぞれの機能又は機構の一部を持っていても良い。一例として、プリンタ７０６が、画像処理を行う画像処理部、各種の表示を行う表示部、及び、デジタルカメラ等により撮影された画像データを記録した記録メディアを着脱するための記録メディア着脱部等を有する構成としても良い。
【００９９】
このようにして実現された記録システムは、システム全体として従来システムよりも優れたシステムとなる。
【図面の簡単な説明】
【０１００】
【図１】プリンタ１０を構成する主要構成要素を示した図である。
【図２】図１のプリンタ１０の制御ユニットを示すブロック図である。
【図３】記録ヘッド４０Ｙの表面４２Ｙを示した模式図である。
【図４】記録ヘッド４０Ｙの主要構成要素の電気的接続を説明するための説明図である。
【図５】ピクセル回路４００（ピクセル電極４１０、ＴＦＴ４２０）、ゲートライン４５０、及び、ソースライン４６０に付した番号を示す図である。
【図６】ピクセル電極４１０にトナーＴが担持されている様子を示す模式図である。
【図７】ピクセル電極４１０にトナーＴが担持されている様子を示す模式図である。
【図８】ピクセル電極４１０にトナーＴが担持されている様子を示す模式図である。
【図９】他の例に係る記録ヘッド４０Ｙを備えた記録ユニット１５Ｙを示した図である。
【図１０】他の例に係る記録ヘッド４０Ｙを備えた記録ユニット１５Ｙを示した図である。
【図１１】記録システムの外観構成を示した説明図である。
【図１２】図１１に示した記録システムの構成を示すブロック図である。
【符号の説明】
【０１０１】
１０  プリンタ
１５Ｙ、１５Ｍ、１５Ｃ、１５Ｋ  記録ユニット
２０Ｙ、２０Ｍ、２０Ｃ、２０Ｋ  トナー収容部
３０Ｙ、３０Ｍ、３０Ｃ、３０Ｋ  トナー供給ローラ
３５Ｙ、３５Ｍ、３５Ｃ、３５Ｋ  規制ブレード
４０Ｙ、４０Ｍ、４０Ｃ、４０Ｋ  記録ヘッド
４２Ｙ、４２Ｍ、４２Ｃ、４２Ｋ  表面
５０Ｙ、５０Ｍ、５０Ｃ、５０Ｋ  背面電極
９０  定着ユニット                  ９２  給紙ユニット
９４  給紙トレイ                    ９６  給紙ローラ
９８  搬送ローラ                  １００  制御ユニット
１０１  メインコントローラ          １０２  ユニットコントローラ
１０４  記録ヘッド駆動制御回路      １１２  インターフェイス
１１３  画像メモリ
４００  ピクセル回路                ４０２  第一ピクセル回路
４０４  第二ピクセル回路            ４０６  第三ピクセル回路
４１０  ピクセル電極                ４１２  第一ピクセル電極
４１４  第二ピクセル電極            ４１６  第三ピクセル電極
４２０  ＴＦＴ                      ４２２  第一ＴＦＴ
４２４  第二ＴＦＴ                  ４２６  第三ＴＦＴ
４３０  保持容量（コンデンサ）      ４４５  ゲートドライバ
４５０  ゲートライン                ４５５  ソースドライバ
４６０  ソースライン                ７００  記録システム
７０２  コンピュータ                ７０４  表示装置
７０６  プリンタ                    ７０８  入力装置
７０８Ａ  キーボード                ７０８Ｂ  マウス
７１０  読取装置
７１０Ａ  フレキシブルディスクドライブ装置
７１０Ｂ  ＣＤ−ＲＯＭドライブ装置
８０２  内部メモリ
８０４  ハードディスクドライブユニット
Ｔ  トナー 
Ｐ  記録用紙
【図１】
2006035704.tif 000003
【図２】
2006035704.tif 000004
【図３】
2006035704.tif 000005
【図４】
2006035704.tif 000006
【図５】
2006035704.tif 000007
【図６】
2006035704.tif 000008
【図７】
2006035704.tif 000009
【図８】
2006035704.tif 000010
【図９】
2006035704.tif 000011
【図１０】
2006035704.tif 000012
【図１１】
2006035704.tif 000013
【図１２】
2006035704.tif 000014